(57)【要約】      （修正有）【課題】固定ボルトと固定金具とスペーサを介して隣接する機能パネルの１対のフレーム部材の端部同士を架台に非対称的又は対称的に固定して、機能パネルを傾斜状に敷設する。【解決手段】勾配のない平坦部に架台を設け、この架台上に太陽エネルギーを別のエネルギーに変換する機能パネル２を複数枚敷設した太陽エネルギー利用システムであって、機能パネル２はパネル部４とその周囲を囲むフレーム部材５を備えており、固定ボルト７と固定金具８を介して隣接する機能パネル２の１対のフレーム部材５の端部５ａ,５ｂ同士を架台に固定する太陽エネルギー利用システムにおいて、架台と１対のフレーム部材５の一方の端部５ａの間に挟着されるスペーサ９を備え、固定ボルト７により固定金具８とスペーサ９と１対のフレーム部材５の両方の端部５ａ,５ｂが架台に共締め固定され、機能パネル２が排水のため傾斜状に敷設される。【選択図】図３
2017096047.tif 000002
【特許請求の範囲】
【請求項１】
勾配のない平坦部に架台を設け、この架台上に太陽エネルギーを別のエネルギーに変換する機能パネルを複数枚敷設した太陽エネルギー利用システムであって、前記機能パネルはパネル部とその周囲を囲むフレーム部材を備えており、固定ボルトと固定金具を介して隣接する機能パネルの１対のフレーム部材の端部同士を前記架台に固定する太陽エネルギー利用システムにおいて、
前記架台と前記１対のフレーム部材の一方の端部との間に挟着されるスペーサを備え、
前記固定ボルトにより前記固定金具と前記スペーサと前記１対のフレーム部材の両方の端部とが前記架台に共締め固定され、前記機能パネルが傾斜状に敷設されることを特徴とする太陽エネルギー利用システム。
【請求項２】
前記固定金具は、前記１対のフレーム部材の両方の端部を固定するために平行に突出する第１，第２の固定部と、これら第１，第２の固定部を接続する接続部であって中央部に固定ボルトが貫通する貫通穴を有する接続部とを備え、第１，第２の固定部の突出長さが異なる略Ｌ字形に構成されたことを特徴とする請求項１に記載の太陽エネルギー利用システム。
【請求項３】
前記スペーサは前記１対のフレーム部材の他方の端部に対して上方から係合する係合部を有することを特徴とする請求項１に記載の太陽エネルギー利用システム。
【請求項４】
勾配のない平坦部に架台を設け、この架台上に太陽エネルギーを別のエネルギーに変換する機能パネルを複数枚敷設した太陽エネルギー利用システムであって、前記機能パネルはパネル部とその周囲を囲むフレーム部材を備えており、固定ボルトと固定金具を介して隣接する機能パネルの１対のフレーム部材の端部同士を前記架台に固定する太陽エネルギー利用システムにおいて、
前記架台と前記１対のフレーム部材の１対の端部との間に挟着される１対の挟着部とこれら挟着部を接続する接続部とを有するスペーサを備え、
前記１対の挟着部の上面は接続部から離隔する程低くなる緩傾斜面に形成され、
前記固定ボルトにより前記固定金具と前記スペーサと前記１対のフレーム部材の両方の端部とが前記架台に共締め固定され、前記機能パネルが前記スペーサから離隔する程低くなる傾斜状に敷設されることを特徴とする太陽エネルギー利用システム。
【発明の詳細な説明】
【技術分野】
【０００１】
本発明は、太陽エネルギー利用システムに関し、特に勾配のない平坦地に複数の機能パネルを固定ボルトと固定金具とスペーサを介して排水のため傾斜状に敷設可能にしたものに関する。
【背景技術】
【０００２】
従来から、太陽エネルギーを別のエネルギーに変換する機能パネル（ソーラパネルや太陽熱温水パネル等）を複数枚敷設した太陽エネルギー利用システムが広く一般に普及している。例えば、複数枚のソーラパネルを固定用架台上に設置し、各ソーラパネルの発電電力を交流電圧に変換してから商用電源の配電盤に供給して屋内配電系統等に給電するように構成されている。
【０００３】
勾配のない陸屋根等の平坦部に複数枚の機能パネルを設置する場合に、排水性を高め、エネルギー変換効率を上げるため、機能パネルを傾斜状に設置するには、通常は傾斜タイプの固定用架台が用いられる。しかし、太陽エネルギー利用システムの全ての機能パネルに傾斜タイプの固定用架台を適用すると、固定用架台の設置作業が煩わしく、設備コストが高価になるという問題がある。
【０００４】
そこで、特許文献１には、別置の架台を設けることなく所定の傾斜角度で設置できる太陽電池モジュールが開示されている。この太陽電池モジュールは、高さの異なる長脚部材及び短脚部材がモジュール本体の枠部材と一体的に形成されているので、長脚部材及び短脚部材の下端部を架台上の傾斜面付きスペーサに夫々ボルトで固定すると、平坦面に所定の傾斜角（約３５度）をつけた状態で設置可能となる。
【先行技術文献】
【特許文献】
【０００５】
【特許文献１】特開平０９−１７７２７０号公報
【発明の概要】
【発明が解決しようとする課題】
【０００６】
しかし、上記太陽電池モジュールは、モジュール本体と一体形成される枠部材の上辺と下辺から、長脚部材と短脚部材がモジュール本体上面に対して鉛直下向きに延出する構造であるため、太陽電池モジュールの構造が複雑化かつ大型化するとともに、製作費が高価になるという問題がある。
【０００７】
一方、傾斜タイプの固定用架台を使わないで、平坦面に複数枚の機能パネルを設置すると、機能パネルが水平姿勢に取り付けられるため、雨水を排水する排水性が低下して機能パネルの上面に汚れやゴミが付着し易くなり、発電効率や熱吸収効率が低下し、エネルギー変換効率が低下するという問題がある。
【０００８】
本発明の目的は、固定ボルトと固定金具とスペーサを介して隣接する機能パネルの１対のフレーム部材の端部同士を架台に非対称的又は対称的に固定して、機能パネルを排水可能な程度に傾斜状に敷設可能な安価な太陽エネルギー利用システムを提供することである。
【課題を解決するための手段】
【０００９】
請求項１の太陽エネルギー利用システムは、勾配のない平坦部に架台を設け、この架台上に太陽エネルギーを別のエネルギーに変換する機能パネルを複数枚敷設した太陽エネルギー利用システムであって、前記機能パネルはパネル部とその周囲を囲むフレーム部材を備えており、固定ボルトと固定金具を介して隣接する機能パネルの１対のフレーム部材の端部同士を前記架台に固定する太陽エネルギー利用システムにおいて、前記架台と前記１対のフレーム部材の一方の端部との間に挟着されるスペーサを備え、前記固定ボルトにより前記固定金具と前記スペーサと前記１対のフレーム部材の両方の端部とが前記架台に共締め固定され、前記機能パネルが傾斜状に敷設されることを特徴としている。
【００１０】
請求項２の太陽エネルギー利用システムは、請求項１の発明において、前記固定金具は、前記１対のフレーム部材の両方の端部を固定するために平行に突出する第１，第２の固定部と、これら第１，第２の固定部を接続する接続部であって中央部に固定ボルトが貫通する貫通穴を有する接続部とを備え、第１，第２の固定部の突出長さが異なる略Ｌ字形に構成されたことを特徴としている。
【００１１】
請求項３の太陽エネルギー利用システムは、請求項１の発明において、前記スペーサは前記１対のフレーム部材の他方の端部に対して上方から係合する係合部を有することを特徴としている。
【００１２】
請求項４の太陽エネルギー利用システムは、勾配のない平坦部に架台を設け、この架台上に太陽エネルギーを別のエネルギーに変換する機能パネルを複数枚敷設した太陽エネルギー利用システムであって、前記機能パネルはパネル部とその周囲を囲むフレーム部材を備えており、固定ボルトと固定金具を介して隣接する機能パネルの１対のフレーム部材の端部同士を前記架台に固定する太陽エネルギー利用システムにおいて、前記架台と前記１対のフレーム部材の１対の端部との間に挟着される１対の挟着部とこれら挟着部を接続する接続部とを有するスペーサを備え、前記１対の挟着部の上面は接続部から離隔する程低くなる緩傾斜面に形成され、前記固定ボルトにより前記固定金具と前記スペーサと前記１対のフレーム部材の両方の端部とが前記架台に共締め固定され、前記機能パネルが前記スペーサから離隔する程低くなる傾斜状に敷設されることを特徴としている。
【発明の効果】
【００１３】
請求項１の発明によれば、架台と隣接する機能パネルの１対のフレーム部材の一方の端部との間にのみスペーサが挟着されて、固定ボルトにより固定金具とスペーサと１対のフレーム部材の両方の端部とが架台に共締め固定されるので、機能パネルの一方のフレーム部材はスペーサの高さ分嵩上げされ、これに隣接する機能パネルの他方のフレーム部材は架台に直に載置した状態となり、高さ方向で段違いの状態となる。複数枚の機能パネルに対してこれを繰り返して、複数枚の機能パネルを架台に固定すると、簡単かつ安価な構造の固定金具とスペーサを介して機能パネルを傾斜状に敷設することができ、機能パネルの排水性を高めて機能パネルの上面に汚れやゴミが付着しにくくし、発電効率や熱吸収効率を高めることができる。
【００１４】
請求項２の発明によれば、固定金具の短く突出している第１の固定部の下端部で１対のフレーム部材の一方の端部を固定し、固定金具の長く突出している第２の固定部の下端部で、１対のフレーム部材の他方の端部を固定できる。このため、架台と隣接する機能パネルの１対のフレーム部材の一方の端部の間にのみスペーサが挟着されて、高さ方向で段違いの状態となった１対のフレーム部材の１対の端部を、固定金具とスペーサと共に固定ボルトにより架台に共締め固定することができ、部品点数を減らし、構造を簡略化することができる。
【００１５】
請求項３の発明によれば、スペーサは１対のフレーム部材の他方の端部に対して上方から係合する係合部を有するので、固定金具の一端部の下端部で１対のフレーム部材の一方の端部を固定し、スペーサの係合部で、１対のフレーム部材の他方の端部を固定できる。このため、平板状の固定金具を適用できるので、固定金具の構造を簡単化し、製作コストを低減することができる。
【００１６】
請求項４の発明によれば、隣接する機能パネルの１対のフレーム部材の１対の端部と  架台の間にスペーサの１対の挟着部が夫々挟着されて、固定ボルトにより固定金具とスペーサと１対のフレーム部材の両方の端部とが架台に共締め固定されるので、機能パネルの１対のフレーム部材の両方の端部はスペーサの高さ分嵩上げされる。尚、１枚の機能パネルのフレーム部材のうちの、嵩上げされた端部と反対側の端部は架台に直に載置した状態で架台に共締め固定される。
【００１７】
このため、嵩上げされた山部、嵩上げされない谷部、嵩上げされた山部が交互に繰り返された状態で複数枚の機能パネルを架台に固定できるので、機能パネルを排水のためスペーサから離隔する程低くなる傾斜状に敷設することができ、機能パネルの上面に汚れやゴミを雨水で洗い流すことができ、発電効率や熱吸収効率を高めることができる。
【図面の簡単な説明】
【００１８】
【図１】本発明の実施例１に係る太陽エネルギー利用システムにおける複数枚の機能パネルと固定用架台の平面図である。
【図２】傾斜状に設置した複数枚の機能パネルの断面図である。
【図３】１対の機能パネルの１対のフレーム部材の両方の端部を架台に共締め固定した状態を示す要部拡大断面図である。
【図４】図３に示す固定金具とスペーサと固定ボルトの斜視図である。
【図５】実施例２の図３相当図である。
【図６】図５の固定金具とスペーサと固定ボルトの斜視図である。
【図７】実施例３の太陽エネルギー利用システムにおける傾斜状に設置した複数枚の機能パネルの断面図である。
【図８】１対の機能パネルの１対のフレーム部材の両方の端部を架台に共締め固定した状態を示す要部拡大断面図である。
【発明を実施するための形態】
【００１９】
以下、本発明を実施するための形態について実施例に基づいて説明する。
【実施例１】
【００２０】
最初に、本発明の太陽エネルギー利用システム１の全体構成について簡単に説明する。
図１に示すように、複数の機能パネル２は、例えば、３行４列のマトリックス状に並べられ、勾配のない平坦部に固定用架台３を介して敷設されている。尚、本実施例では、図１における上方向を＋Ｙ方向、下方向を−Ｙ方向、左右方向を左右方向として説明する。
【００２１】
最初に、機能パネル２について説明する。
機能パネル２は、発電を行う長方形状のソーラパネル部４と、このソーラパネル部４の周囲を囲む平面視にて矩形枠状のフレーム部材５を備えており、例えば、１．３ｍ×１．０ｍ程度のサイズに構成されている。
【００２２】
機能パネル２のフレーム部材５は、＋Ｙ方向側の端部であるフレーム部５ａ、−Ｙ方向側の端部であるフレーム部５ｂ、左右両側のフレーム部が一体形成され、フレーム部５ａ，５ｂの下端部には係合端部５ｃが水平方向に突出状に形成されている。係合端部５ｃの先端には、後述する固定金具８の係合溝８ｔに係合させるための係合部５ｔが形成されている。
【００２３】
次に、固定用架台３について説明する。
図１に示すように、固定用架台３は複数の機能パネル２を勾配のない平坦部に傾斜状に取り付ける為のものであり、縦方向（Ｙ方向）に延びる複数の金属製の縦ラック６を並列に配置して構成され、固定用架台３の上面は平坦面に形成されている。各列の３枚の機能パネル２を一定間隔をあけて配置した２本の縦ラック６で支持するように、固定用架台３は平坦面上に設置されている。縦ラック６は薄鋼板製の条材であり、縦ラック６の外表面には、マグネシウムを主成分とする防蝕兼絶縁被膜が形成されている。縦ラック６は複数の支持部材を介して平坦部に固定されている。
【００２４】
図２に示すように、機能パネル２を固定用架台３上に傾斜状に設置するため、縦方向に隣接している1対の機能パネル２の１対のフレーム部材５の隣接したフレーム部５ａ，５ｂのうちの一方のフレーム部５ａをスペーサ９で嵩上げした状態にし、固定ボルト７により、固定金具８とスペーサ９と両方のフレーム部５ａ，５ｂを縦ラック６に共締め固定する。
【００２５】
次に、隣接した１対のフレーム部５ａ，５ｂを固定用架台３に固定する固定構造１０について説明する。
図２〜図４に示すように、太陽エネルギー利用システム１は、固定用架台３と１対のフレーム部材５のフレーム部５ａ（一方の端部）の間に挟着されるスペーサ９を備え、固定ボルト７により固定金具８とスペーサ９と１対のフレーム部材５のフレーム部５ａ，５ｂ（両方の端部）が縦ラック６に共締め固定されて、機能パネル２が排水性向上のため傾斜状に敷設される。尚、スペーサ９は、縦ラック６の左右幅と同等の左右幅を有するものである。
【００２６】
機能パネル２のフレーム部材５のフレーム部５ａと固定用架台３の間には、スペーサ９が挟着され、フレーム部５ａに隣接しているフレーム部５ｂと固定用架台３の間には、スペーサ９を挟着しない状態とし、図２に示すように、機能パネル２は、＋Ｙ方向端においてスペーサ９の高さ分だけ嵩上げされた傾斜状に固定される。機能パネル2の−Ｙ方向端は嵩上げしない状態で固定用架台３に固定される。
【００２７】
次に、固定金具８について説明する。
図３，図４に示すように、固定金具８は、１対のフレーム部材５の両方の端部を固定するために平行に突出する第１固定部８ａ，第２固定部８ｂと、これら第１，第２固定部８ａ，８ｂを接続し中央部に固定ボルト７が挿通するボルト穴８ｄを有する接続部８ｃとを備え、第１，第２固定部８ａ，８ｂの突出長さが異なる略Ｌ字形に構成されている。
【００２８】
固定金具８の第１固定部８ａは、下方への突出長さが短くその端部付近には、フレーム部５ａの係合端部５ｃの先端に設けられた係合部５ｔを係合させるための係合溝８ｔが形成されている。一方、固定金具８の第２固定部８ｂは、第１固定部８ａに比べて下方への突出長さが長く、第２固定部８ｂの下端部でフレーム部５ｂの係合端部５ｃを直接押圧するように構成している。
【００２９】
次に、スペーサ９について説明する。
図３，図４に示すように、スペーサ９は、傾斜壁部９ａ、この傾斜壁部９ａの右端に連なる水平壁部９ｂ、この水平壁部９ｂの右端から下方へ延びる縦壁部９ｃ、この縦壁部９ｃの下端から−Ｙ方向へ延びる水平な底壁部９ｄ、傾斜壁部９ａの途中部と底壁部９ｄとを連結する縦壁部９ｅとを備えている。傾斜壁部９ａの上面は水平壁部９ｂから離隔する程低くなるように緩傾斜状に形成されている。
【００３０】
水平壁部９ｂには、固定金具８の接続部８ｃが載置される。傾斜壁部９ａと水平壁部９ｂの境界部には、水平壁部９ｂ側が一段高い段部９ｓが形成され、この段部９ｓにフレーム部５ａの係合端部５ｃを係合させて位置決めするように形成されている。また、縦壁部９ｃの下端にはフレーム部５ｂの係合端部５ｃの先端が当接して位置決めれる。上記のスペーサ９はアルミニウム製であり、例えば、高さは約３０ｍｍ、奥行き及び左右幅は約５０ｍｍに形成されている。
【００３１】
次に、フレーム部５ａ，５ｂを固定する固定構造１０について説明する。
図３，図４に示すように、縦ラック６の上面にスペーサ９を載置し、スペーサ９の傾斜壁部９ａの上にフレーム部５ａを載置し、フレーム部５ａの＋Ｙ方向端を段部９ｓに係合させ、スペーサ９の＋Ｙ方向端にフレーム部５ｂの端部を当接させた状態にしてから、フレーム部５ａ，５ｂの間に上方から固定金具８を搭載し、固定金具８の第１固定部８ａをフレーム部５ａの係合端部５ｃに係合させ、第２固定部８ｂの下端をフレーム部５ｂの係合端部５ｃに係合させ、固定ボルト７を上方から固定金具８と水平壁部９ｂと底壁部９ｄに夫々形成されたボルト穴に挿入してから、縦ラック６の上端部内に保持されたナット７ａに固定ボルト７を螺合締結することで、固定ボルト７により、固定金具８とスペーサ９と１対のフレーム部５ａ，５ｂを固定用架台３上に共締めして固定する。
【００３２】
次に、上記の太陽エネルギー利用システム１の作用、効果について説明する。
太陽エネルギー利用システム１は、固定用架台３と、隣接する機能パネル２の１対のフレーム部材５のフレーム部５ａ（一方の端部）の間にのみスペーサ９が挟着されて、固定ボルト７により固定金具８とスペーサ９と１対のフレーム部材５のフレーム部５ａ，５ｂ（両方の端部）が固定用架台３に共締め固定されるので、機能パネル２の一方のフレーム部５ａはスペーサ９の高さ分嵩上げされ、これに隣接する機能パネルの他方のフレーム部５ｂは固定用架台３に直に載置した嵩上げされない状態となり、高さ方向で段違いの状態となる。
【００３３】
複数の機能パネル２に対してこれを繰り返して、複数枚の機能パネル２を固定用架台３に固定すると、図２に示すように、機能パネル２を傾斜状に敷設することができ、排水性を高め、機能パネル２の上面の汚れやゴミを雨水で洗い流すことができる。そのため、発電効率を高めることができる。
【００３４】
また、固定金具８の短く突出した第１固定部８ａでフレーム部５ａの係合端部５ｃを固定し、固定金具８の長く突出した第２固定部８ｂの下端部で、フレーム部５ｂの係合端部５ｃを固定できる。このため、固定用架台３とフレーム部５ａとの間にのみスペーサ９を  挟着することで、隣接する１対のフレーム部５ａ，５ｂを段違いの状態にして固定用架台３に固定することができる。
【実施例２】
【００３５】
次に、前記固定金具８とスペーサ９を部分的に変更した実施例２に係る太陽エネルギー利用システム１Ａについて説明する。尚、実施例１の構成要素（構成部材）と同じものに同一の符号を付して説明を省略し、異なる構成要素についてのみ説明する。
図５，図６に示すように、固定金具８Ａは、１対のフレーム部材５の片方の端部であるフレーム部５ａを固定するための固定部８ａと、中央部に固定ボルト７が挿通するボルト穴８ｄを有する平板部８ｃとを備え、平面視にて略矩形形状に構成され、実施例１の固定金具８における第２固定部８ｂは省略されている。固定部８ａの端部付近には、フレーム部５ａの係合端部５ｃの先端に設けられた係合部５ｔを係合させるための係合溝８ｔが形成されている。
【００３６】
スペーサ９Ａは、傾斜壁部９ａと、水平壁部９ｂと、縦壁部９ｃと、底壁部９ｄと、縦壁部９ｅの他に、次のような係合部９ｆを備えている。即ち、縦壁部９ｃの下部には、その＋Ｙ方向端から＋Ｙ方向へ僅かに突出する係合部９ｆであって、フレーム部５ｂの係合端部５ｃに上方から係合して押圧する断面Ｌ形の係合部９ｆが形成されている。  
【００３７】
次に、フレーム部５ａ，５ｂを固定する固定構造１０Ａについて説明する。
図５，図６に示すように、縦ラック６の上面にスペーサ９Ａを載置し、スペーサ９Ａの傾斜壁部９ａの上にフレーム部５ａを載置し、フレーム部５ａの＋Ｙ方向端を段部９ｓに係合させ、スペーサ９Ａの＋Ｙ方向端にフレーム部５ｂの端部を当接させた状態にしてから、上方から固定金具８Ａを搭載し、固定金具８Ａの固定部８ａをフレーム部５ａの係合端部５ｃに係合させ、スペーサ９Ａの係合部９ｆをフレーム部５ｂの係合端部５ｃに係合させ、固定ボルト７を上方から固定金具８Ａと水平壁部９ｂと底壁部９ｄに夫々形成されたボルト穴に挿通させてから、縦ラック６の上端部内に保持されたナット７ａに固定ボルト７を螺合締結することで、固定ボルト７により、固定金具８Ａとスペーサ９Ａと１対のフレーム部５ａ，５ｂを固定用架台３上に共締めして固定する。
【００３８】
次に、上記の太陽エネルギー利用システム１Ａの作用、効果について説明する。
スペーサ９Ａは１対のフレーム部材５のフレーム部５ｂ（他方の端部）に対して上方から係合する係合部９ｆを有するので、固定金具８Ａの固定部８ａで１対のフレーム部材５のフレーム部５ａ（一方の端部）を固定し、スペーサ９Ａの係合部９ｆで、フレーム部５ｂを固定できる。このため、平板状の固定金具８Ａを適用できるので、固定金具８Ａの構造を簡単化でき、製作コストを低減できる。
【実施例３】
【００３９】
次に、実施例３の太陽エネルギー利用システム１Ｂについて説明する。
図７，図８に示すように、太陽エネルギー利用システム１Ｂは、固定用架台３と１対のフレーム部材５のフレーム部５ａ，５ｂ（１対の端部）の間に挟着されるスペーサ１４を備え、固定ボルト７により固定金具１３とスペーサ１４と１対のフレーム部５ａ，５ｂ（両方の端部）が固定用架台３に共締め固定されて、機能パネル２が排水のため傾斜状に敷設される。
【００４０】
図７に示すように、機能パネル２の１対のフレーム部材５のフレーム部５ａ，５ｂと固定用架台３との間に、スペーサ１４を挟着して嵩上げされる山部Ｙ、スペーサ１４を挟着せず嵩上げされない谷部Ｔを交互に繰り返すことで、機能パネル２が固定用架台３に傾斜状に敷設される。
【００４１】
図７、図８に示すように、固定金具１３は、中央部に固定ボルト７が挿通するボルト穴１３ｂを有する固定部１３ａを有し、略矩形の平板状に構成されている。固定部１３ａの両端近傍付近には、フレーム部５ａ，５ｂの夫々の係合端部５ｃの先端に設けられた夫々の係合部５ｔを係合させるための係合溝１３ｃ，１３ｄが形成されている。
【００４２】
スペーサ１４は、−Ｙ方向側の挟着部１４Ａと、＋Ｙ方向側の挟着部１４Ｂと、これら挟着部１４Ａ，１４Ｂを接続する接続部１４Ｃとを有するものである。
挟着部１４Ａはフレーム部５ａと固定用架台３との間に挟着され、挟着部１４Ｂはフレーム部５ｂと固定用架台３との間に挟着される。
【００４３】
挟着部１４Ａは、傾斜壁部１４ａと縦壁部１４ｂと底壁部１４ｃとで断面「工」字形に形成されている。傾斜壁部１４ａは接続部１４Ｃから離隔する程低くなるように緩傾斜状に形成されている。挟着部１４Ｂは、傾斜壁部１４ｄと縦壁部１４ｅと底壁部１４ｆとで断面「工」字形に形成されている。傾斜壁部１４ｄは接続部１４Ｃから離隔する程低くなるように緩傾斜状に形成されている。底壁部１４ｃと底壁部１４ｆは一体に形成されている。接続部１４Ｃには、固定金具１３のボルト穴１３ｂに対応するボルト穴が形成されている。
【００４４】
次に、フレーム部５ａ，５ｂを固定する固定構造１０Ｂについて説明する。
図８に示すように、縦ラック６の上にスペーサ１４を載置し、挟着部１４Ａの上にフレーム部５ａを載置すると共に挟着部１４Ｂの上にフレーム部５ｂを載置し、フレーム部５ａ，５ｂの間に上方から固定金具１３を搭載し、固定ボルト７を上方から固定金具１３と接続部１４Ｃと底壁部１４ｃ，１４ｆに夫々形成されたボルト穴に挿通させて、縦ラック  ６の上端部内に保持されたナット７ａに螺合締結する。このように、固定ボルト７により、固定金具１３とスペーサ１４と１対のフレーム部５ａ，５ｂとを固定用架台３に共締めして固定することで、機能パネル２が排水のためスペーサ１４から離隔する程低くなる傾斜状に敷設される。
【００４５】
次に、上記の太陽エネルギー利用システム１Ｂの作用、効果について説明する。
固定用架台３と、隣接する機能パネルの１対のフレーム部材５のフレーム部５ａ，５ｂの間にスペーサ１４が挟着されて、固定ボルト７により固定金具１３とスペーサ１４と両方のフレーム部５ａ，５ｂが固定用架台３に共締め固定されるので、１対のフレーム部５ａ，５ｂはスペーサ１４の高さ分嵩上げされる。
【００４６】
一方、１枚の機能パネル２におけるフレーム部材５が嵩上げされたフレーム部５ａと反対側のフレーム部５ｂは、固定用架台３に直に載置した状態で、固定ボルト７により固定金具１３と隣接する機能パネル２のフレーム部５ａと共に固定用架台３に共締め固定される。
【００４７】
このため、嵩上げされる山部Ｙ、嵩上げされない谷部Ｔ、嵩上げされる山部Ｙが交互に繰り返した状態で機能パネル２を固定用架台３に固定できるので、機能パネル２を排水のためスペーサ１４から離隔する程低くなる傾斜状に敷設することができ、機能パネル２の上面に汚れやゴミを雨水で洗い流して排水できる。
【００４８】
次に、前記実施例を部分的に変更した形態について説明する
［１］前記実施例の機能パネルは太陽電池パネル（ソーラパネル）であるが、これに限定する必要はなく、機能パネルは太陽熱温水パネルであっても良い。
【００４９】
［２］その他、当業者であれば、本発明の趣旨を逸脱することなく、前記実施例に種々の変更を付加した形態で実施可能であり、本発明はそのような変更形態も包含するものである。
【符号の説明】
【００５０】
１        太陽エネルギー利用システム
２        機能パネル
３        固定用架台
５        フレーム部材
５ａ，５ｂ  フレーム部
７        固定ボルト
８，８Ａ，１３        固定金具
８ａ      第１固定部
８ｂ      第２固定部
８ｃ      接続部
９，９Ａ，１４        スペーサ
１４Ａ，１４Ｂ        挟着部
１４Ｃ    接続部
【図１】
2017096047.tif 000003
【図２】
2017096047.tif 000004
【図３】
2017096047.tif 000005
【図４】
2017096047.tif 000006
【図５】
2017096047.tif 000007
【図６】
2017096047.tif 000008
【図７】
2017096047.tif 000009
【図８】
2017096047.tif 000010